(57)【要約】      （修正有）【課題】共通の長手軸上で複製機械の微調整作用と固定作用と付勢作用とを実施することにより、複製機械の複製制度を向上させ構造を単純化することのできる、穿孔・レーザキー複製機械のための改良型ばねトレーサを提供する。【解決手段】穿孔・レーザキー複製機械のための改良型ばねトレーサは、長手スピンドルの共通長手軸に沿って本体部分に長手方向摺動自在に固定される同期横レバーの一端から懸架された長手スピンドルと、（共通長手軸に沿ったオリジナル穿孔キーのキー溝の深さをトレースするためばね力によってトレーサ針をオリジナル穿孔・レーザキーに付勢するため、）長手スピンドルの内側下端に嵌合するばね装填トレーサと、穿孔・レーザキー複製機械の複製精度を向上させるとともに構造を単純化するように、微調整作用と固定作用と付勢作用とが共通長手軸上で実施されることを目的として、長手スピンドルの外側下端に回転自在に固定された微調整スリーブとを含む。【選択図】図４
0003103780.tif 000002
【実用新案登録請求の範囲】
【請求項１】
長手スピンドルと平行な複製工具のための長手シャフトに横方向から接続された他端を有する同期横レバーの一端から懸架されるとともに、共通長手軸に沿って本体部分に長手方向摺動自在に固定された長手スピンドルと、該長手スピンドルをロックするため該本体部分に横方向からねじ固定されたちょうねじと、該共通長手軸に沿ってキー溝の深さをトレースするようにトレーサ針をオリジナル穿孔・レーザキーに付勢するため、該長手スピンドルの内側下端に嵌合するばね装填トレーサと、該共通長手軸に沿った該ばね装填トレーサの高さを微調整するため、該長手スピンドルの外側下端に回転自在に固定された微調整スリーブと、横ねじの角移動により該長手スピンドルを上方または下方に移動させるためと、横ねじの回転により該ばね装填トレーサを非ばね作用状態にロックするため、該微調整スリーブの外側下端に横方向からねじ固定された横ねじとを含む、穿孔・レーザキー複製機械のための改良型ばねトレーサ。
【請求項２】
前記ばね装填トレーサがさらに、該トレーサの上端に配置された圧縮ばねと、該トレーサの中間部分に配置されたスライドステムと、該トレーサの下端に配置されたトレーサ針とを含み、該圧縮ばねが中央孔に嵌合し、該スライドステムが、前記長手スピンドルの下端に嵌合し、該圧縮ばねによって下方へ付勢され、該圧縮ばねから加えられるばね力により該スライドステムが外れるのを防止するため該長手スピンドルの下側外周に形成された小さな長手スロットに挿入される横突起を備える、請求項１に記載の穿孔・レーザキー複製機械のための改良型ばねトレーサ。
【請求項３】
小さな横通気孔と長形の長手通気溝とが、前記本体部分に形成され、前記長手スピンドルと該本体部分との間の嵌合の結果生じる真空ロックを防止するため前記中央孔と連通する、請求項２に記載の穿孔・レーザキー複製機械のための改良型ばねトレーサ。
【請求項４】
前記スライドステムを非ばね作用状態にロックするため前記横ねじがスムーズに当接するように、該横ねじと対向する平坦部分を該スライドステムの外周下部に備える、請求項１に記載の穿孔・レーザキー複製機械のための改良型ばねトレーサ。
【考案の詳細な説明】
【技術分野】
【０００１】
本考案は、穿孔・レーザキー複製機械のための改良型ばねトレーサに関連する。
【背景技術】
【０００２】
図１に見られるように、先行技術である特許文献１には、キャリッジ１８′に固定され、連動チャック５６′に保持され、管形支持体６２′と嵌合する絶縁スリーブ６０′と摺動自在に嵌合するシャフト５８′と嵌合するフィーラ２８′を含む、穿孔・レーザキーのためのトレーサが開示されている。このような管形支持体は、フィーラ２８′を上下動させるために、キャリッジ１８′の本体に支持され、キャリッジ１８′の本体の中に取り付けられてリングナット６４′を回転させるための微調整装置を形成するボール６６′のスナップ嵌合のための複数の等角径方向切欠きが片側に形成されたリングナット６４′と下端において嵌合する。このような微調整装置の構造は複雑で、製造が困難である。さらに、シャフト５８′の上端は、リングナット７０′の上部に設けられた一対の対向傾斜溝と嵌合および解離するため、一対の対向傾斜ガイドを底部に備える固定ガイドを備え、ばねスリーブがリングナット７０′の下に設けられ、管形支持体６２′に固定されている。圧縮ばね７２′がばねスリーブと管形支持体６２′との間に設けられ、ばねスリーブとキャリッジ１８′との間で付勢されている。リングナット７０′は、二つの角度端位置の間で回転移動自在である。これら二つの位置の一方にある時にリングナット７０′は、管形支持体６２′に軸方向の強い抵抗を付与するのに対して、他の位置にある時には、圧縮ばね７２′の反作用に抗してキャリッジ１８′に対する所定量の軸方向上方移動をスリーブ６０′に行わせることができるため、絶縁スリーブ６０′と嵌合した内側圧縮ばねの反作用に抗してフィーラ２８′は所定量だけ移動できる。このようなトレーサ構造では、二つの圧縮ばねを必要とし、ゆえに構造が複雑である。圧縮時間が長くなることによって破損した場合に、圧縮ばね７２′は付勢力を失う。フィーラが必要な高さに固定された場合には、キャリッジ全体を固定するのに周知のトグルクランプが使用される、つまり、キャリッジを固定するため可動支持体を移動させるのに引張ばねが使用されるのである。このようなトグルクランプは、フィーラの構造全体をさらに複雑にし、全体として多動作直線構造を形成して、その結果、比較的大きな処理エラーを発生させて、穿孔・レーザキー複製機械の複製精度を低下させる。
【０００３】
【特許文献１】米国特許第５，８３３，４０６号
【考案の開示】
【考案が解決しようとする課題】
【０００４】
本考案は、上記の短所を無くすことを目的とし、共通の長手軸上で複製機械の微調整作用と固定作用と付勢作用とを実施することにより、複製機械の複製精度を向上させ構造を単純化することのできる、穿孔・レーザキー複製機械のための改良型ばねトレーサを提供する。
【課題を解決するための手段】
【０００５】
本考案の好適な面において穿孔・レーザキー複製機械のための改良型ばねトレーサは、長手スピンドルの共通長手軸に沿って本体部分に長手方向摺動自在に固定される、長手スピンドルと平行な複製工具のための長手シャフトに横方向から接続された他端を有する同期横レバーの一端から懸架された長手スピンドルと、共通長手軸に沿ってオリジナル穿孔キーのキー溝の深さをトレースするため、ばね力によりトレーサ針をオリジナル穿孔・レーザキーに付勢するため長手スピンドルの内側下端に嵌合したばね装填トレーサと、穿孔・レーザキー複製機械の複製精度を向上させてその構造を単純化するように、微調整作用と固定作用と付勢作用とが共通長手軸上で実施されることを目的として、共通長手軸に沿ってばね装填トレーサの高さを微調整するため長手スピンドルの外側下端に回転自在に固定された微調整スリーブとを含む。
【考案を実施するための最良の形態】
【０００６】
以下、添付図面を参照して、本考案の実施例を例として説明する。
【０００７】
図２〜５を参照すると、本考案の実施例である穿孔・レーザキー複製機械のための改良型ばねトレーサは、長手スピンドルの共通長手軸に沿って複製機械の本体部分１０に長手方向摺動自在に固定されるとともに、長手スピンドル１と平行な複製工具のための長手シャフト２０に横方向から接続された他端を有する同期横レバー２の一端から、一体的に形成されたねじ１１によるねじ嵌合によって一端が懸架された長手スピンドル１と、長手スピンドル１を同期横レバー２とともに締め付けるため本体部分１０の側面にねじで固定されたちょうねじ３と、共通同期軸に沿ってオリジナル穿孔・レーザキーのキー溝の深さをトレースするためばね力によってトレーサ針４３をオリジナル穿孔・レーザキーに付勢するための、長手スピンドル１の内側下端に嵌合したばね装填トレーサ４と、共通長手軸に沿ったばね装填トレーサ４の高さを微調整するため長手スピンドル１の外側下端に回転自在に固定された微調整スリーブ５と、手による横ねじ６の角移動によって長手スピンドル１を上方または下方に非常に少量だけ移動させるための力のてことして使用するためと、ばね装填トレーサ４を非ばね作用状態にロックするため横ねじをばね装填トレーサ４へと移動させてトレーサに接触させるため、微調整スリーブ５の外側下端に横方向からねじ固定された横ねじ６とを含む。穿孔・レーザキーのオリジナルキー溝の正確な深さを精密にトレースするには、横ねじ６を緩めることにより、ばね装填トレーサ４のスライドステム４１が、下端に固定されたばね装填トレーサ４のトレーサ針４３をオリジナル穿孔・レーザキー３０に当接するように押圧するためのオリジナルばね装填位置へ戻る。以上の説明から、本考案によれば、微調整作用と固定作用と付勢作用とを共通長手軸上で実施でき、ゆえに穿孔・レーザキー複製機械の複製精度を向上させて構造を単純化することができる。
【０００８】
上述し、図４に図示したように、長手スピンドル１とひいてはその上端に固定された同期横レバー２とに当接するように手で動かすことのできる大きな平坦部分を有するちょうねじ３により、長手スピンドル１の下端に配置されたばね装填トレーサ４と、長手シャフト２０の下端に配置された複製切削工具とは、錠前師の必要性に応じてキー複製処理を行うため、所定の高さに一時的に停滞することができる。
【０００９】
さらに、スライドステム４１を非ばね作用状態（図５に図示）にロックするため、横ねじ６を手で動かしてスムーズにスライドステムに当接させるように、平坦部分４５がスライドステム４１の下側外周に形成され、横ねじ６と対向する。
【００１０】
トレーサ針４３は、穿孔・レーザキーのオリジナルキー溝の深さを正確にトレースするため円錐先端を備える棒として形成されている。
【００１１】
図４に見られるように、ばねトレーサ４は、その上端に配置された圧縮ばね４２と、その中間部分に配置されたスライドステム４１と、その下端に配置されたトレーサ針４３とを含む。圧縮ばね４２は中央孔１２に嵌合し、スライドステム４１は、長手スピンドル１の下端に嵌合し、圧縮ばね４２によって下方へ付勢され、圧縮ばね４２から加えられるばね力によってスライドステム４１が外れるのを防止するため、長手スピンドル１の下側外周に形成された小さな長手スロット１３に挿入される横突起４４を備える。長手スピンドル１と本体部分１０との間の精密な嵌合の結果生じる真空ロックを防止するため、小さな横通気孔１４と長形の長手通気溝１５とが本体部分１０に形成され、中央孔１２と連通する。
【図面の簡単な説明】
【００１２】
【図１】先行技術である特許文献１を示す部分的な垂直断面図である。
【図２】本考案による穿孔・レーザキー複製機械のための改良型ばねトレーサを示す一部断面を含む正面図である。
【図３】本考案による穿孔・レーザキー複製機械のための改良型ばねトレーサを示す側面図である。
【図４】ばね装填トレーサがばね作用状態にある、本考案による穿孔・レーザキー複製機械のための改良型ばねトレーサを示す一部断面を含む正面図である。
【図５】ばね装填トレーサが非ばね作用状態にロックされている、本考案による穿孔・レーザキー複製機械のための改良型ばねトレーサを示す一部断面を含む正面図である。
【符号の説明】
【００１３】
１  長手スピンドル，２  横レバー，３  ちょうねじ，４１  ステム，４２  圧縮ばね，４３  トレーサ針，４４  突起，４５  平坦部分，５  調整スリーブ，  ６  横ねじ，１０  本体部分，１２  孔，１３  スロット，１４  通気孔，１５  通気溝
【図１】
0003103780.tif 000003
【図２】
0003103780.tif 000004
【図３】
0003103780.tif 000005
【図４】
0003103780.tif 000006
【図５】
0003103780.tif 000007